(57)【要約】      （修正有）【課題】検出対象のデータを適切に利用者に認識させる携帯電話を提供する。【解決手段】携帯電話１は、スピーカ１１と、所定の時刻に検出した温度、気圧、歩数、高度、移動距離及び消費熱量のいずれかの検出対象に関するデータを検出する検出部４０と、データに基づく情報を定期的にスピーカ１１から所定の言語により音声で出力させるコントローラ６０と、を備える。またコントローラ６０は、情報をスピーカ１１から出力させる音量を可変に制御させる。【選択図】図２
2018113515.tif 000002
【特許請求の範囲】
【請求項１】
スピーカと、
検出対象に関するデータを検出する検出部と、
前記検出部が検出したデータに基づく情報を前記スピーカから音声で出力させるコントローラと、
を備える携帯電話。
【請求項２】
前記コントローラは、前記情報を所定の言語の音声で出力させる、請求項１に記載の携帯電話。
【請求項３】
前記コントローラは、前記検出部が検出したデータに基づく情報が所定の条件を満たすと、前記情報を出力させる請求項１または２に記載の携帯電話。
【請求項４】
前記検出部は、所定の時刻になると、前記データを検出する、請求項１から３のいずれかに記載の携帯電話。
【請求項５】
前記コントローラは、所定の時刻になると、前記情報を出力させる、請求項１から４のいずれかに記載の携帯電話。
【請求項６】
前記コントローラは、所定の時間間隔ごとに、前記情報を出力させる、請求項１から４のいずれかに記載の携帯電話。
【請求項７】
前記コントローラは、前記検出部が複数回検出したデータに基づく情報を出力させる、請求項１から６のいずれかに記載の携帯電話。
【請求項８】
前記コントローラは、前記情報を出力させた後、所定の状況になるまで、前記検出部が検出したデータに基づく情報を出力させない、請求項７に記載の携帯電話。
【請求項９】
前記コントローラは、前記検出部が検出したデータに基づいて、温度、気圧、歩数、前記気圧に基づく高度、移動距離、及び消費熱量のいずれかの情報を出力させる、請求項１から８のいずれかに記載の携帯電話。
【請求項１０】
前記コントローラは、前記検出部が検出したデータに基づく情報とともに、または当該情報に代えて、当該情報に対応する通知を出力させる、請求項１から９のいずれかに記載の携帯電話。
【請求項１１】
前記コントローラは、前記スピーカから音を出力しない動作の実行中であっても、前記情報を出力させる、請求項１から１０のいずれかに記載の携帯電話。
【請求項１２】
前記コントローラは、前記情報を前記スピーカから出力させる音量を可変に制御する、請求項１から１１のいずれかに記載の携帯電話。
【発明の詳細な説明】
【技術分野】
【０００１】
本開示は、携帯電話に関する。
【背景技術】
【０００２】
従来、周囲の温度を計測する温度計測部を備える携帯電子機器が知られている。例えば、特許文献１には、温度計測部によって計測された外部の温度変化に基づいて表示部を制御する携帯電話が記載されている。
【先行技術文献】
【特許文献】
【０００３】
【特許文献１】特開２０１０−１９８３９１号公報
【発明の概要】
【発明が解決しようとする課題】
【０００４】
上述の携帯電話は、温度変化に基づいて表示部を制御する。携帯電話の利用者が表示部の表示を参照しているか否かにかかわらず、該温度変化などをはじめとする各種の情報を適切に認識することができれば、利便性が向上する。
【０００５】
本開示の目的は、検出対象に関するデータに基づく情報を適切に利用者に認識させることができる携帯電話を提供することにある。
【課題を解決するための手段】
【０００６】
本開示の携帯電話は、スピーカと、検出対象に関するデータを検出する検出部と、前記検出部が検出したデータに基づく情報を前記スピーカから音声で出力させるコントローラと、を備える。
【発明の効果】
【０００７】
本開示の一実施形態によれば、検出対象に関するデータに基づく情報を適切に利用者に認識させることが可能となる。
【図面の簡単な説明】
【０００８】
【図１】本実施形態に係る携帯電話の外観図である。
【図２】図１に示す携帯電話の機能構成図である。
【図３】図２に示すコントローラがディスプレイに表示させる設定画面の例である。
【図４】図１に示す携帯電話が利用者に音声で情報を出力するイメージを示す図である。
【発明を実施するための形態】
【０００９】
以下、本開示の実施形態について、図面を参照して説明する。
【００１０】
まず、図１を参照して、本実施形態に係る電子機器の構成について説明する。
【００１１】
図１に示すように、本実施形態に係るフィーチャーフォンタイプの携帯電話１は、上側筐体２と下側筐体３とが、可動部４によって接続された、折りたたみ可能な開閉式の携帯電話である。携帯電話１は、可動部４により上側筐体２と下側筐体３との位置関係が変更されて、少なくとも第１の状態および第２の状態に変形可能である。例えば、可動部４はヒンジによって形成される。携帯電話１は、可動部４を軸にして第１の状態と、第１の状態とは異なる第２の状態とをとることが可能に構成される。第１の状態は、携帯電話１全体として所定方向のサイズが第２の状態よりも小さくなる状態である。第１の状態は、例えば、上側筐体２と下側筐体３とが折りたたまれた状態である。第２の状態は、例えば、上側筐体２と下側筐体３とが開かれた状態である。本開示の実施形態の携帯電話１は、折りたたみ可能な携帯電話に限定されるものではなく、上側筐体２と下側筐体３とが互いにスライドするスライド式のようなフィーチャーフォンとしてもよい。
【００１２】
携帯電話１は、スピーカ１１と、マイク１２と、ディスプレイ１３と、物理キー部１４とを備える。また、携帯電話１は、図２に示すように、通信部２０と、バッテリ３０と、検出部４０と、メモリ５０と、コントローラ６０と、を備える。
【００１３】
スピーカ１１は、上側筐体２の図１に示す正面に配置され、音声を出力する。なお、スピーカ１１は、下側筐体３に配置されてもよい。このとき、スピーカ１１は、下側筐体３における、上側筐体２と下側筐体３とが折りたたまれた状態において上側筐体２によって隠されない位置に配置されてもよい。マイク１２は、下側筐体３に配置され、周囲の音声を取得し電気信号に変換する。
【００１４】
ディスプレイ１３は、上側筐体２の図１に示す正面に配置される。ディスプレイ１３は、液晶ディスプレイ、有機ＥＬディスプレイ、又は無機ＥＬディスプレイ等の表示デバイスである。ディスプレイ１３は、携帯電話１を操作するユーザに、文字、記号、画像、操作用オブジェクト（アイコン）等の画像など、各種の情報を表示する。ディスプレイ１３には、静電式のタッチセンサが設けられてもよい。この場合、ディスプレイ１３は、指等の人体の一部が触れている位置を検出して、検出された位置に基づく命令をコントローラ６０に入力してもよい。
【００１５】
物理キー部１４は、下側筐体３の図１に示す正面に配置される。物理キー部１４は、携帯電話１を操作するユーザの押下入力を検出する各種の物理キーを含んで構成される。
【００１６】
物理キー部１４は、センターキー１４ａ、方向キー１４ｂ、メニューキー１４ｃ、メールキー１４ｄ、カメラキー１４ｅ、ウェブキー１４ｆ、通話開始キー１４ｇ、クリアキー１４ｈ、通話終了／電源キー１４ｉ、テンキー１４ｊ、及び３つのファンクションキー（第１機能キー１４ｋ，第２機能キー１４ｌ，及び第３機能キー１４ｍ）、モード設定キー１４ｎを含む。また、テンキー１４ｊは、０から９までの数字キー及びその他の記号キーを含む。
【００１７】
物理キー部１４が利用者によって押下されることによって、該押下に基づく命令がコントローラ６０に入力される。テンキー１４ｊには、静電式のセンサが設けられてもよい。この場合、テンキー１４ｊの、指等の人体の一部が触れている位置、該位置の変化等に基づく命令がコントローラ６０に入力される。
【００１８】
物理キー部１４を構成する各キー１４ａ〜１４ｍは、下側筐体３の図１に示す正面に配置され、それぞれ、押しボタン式の自動復帰型スイッチなどで構成することができる。モード設定キー１４ｎは、切り替え式のスイッチなどで構成することができ、例えば、下側筐体３の側面（図１においては左側面）に配置される。
【００１９】
物理キー部１４を構成する各キーの機能は、一般的な携帯電話と同様にし得るため、より詳細な説明は省略する。また、図１においては、物理キー部１４を構成する各キーのキートップに刻印される文字又は記号などは、適宜、簡略化又は省略して示してある。
【００２０】
また、通信部２０、バッテリ３０、検出部４０、メモリ５０、及びコントローラ６０は、上側筐体２及び／又は下側筐体３の内部に配置される。
【００２１】
通信部２０は、アンテナを介して例えば無線通信基地局などと無線通信することにより通信ネットワークに接続し、携帯電話１の通話及び通信の機能を実現する。通信部２０は、通常のフィーチャーフォンが備える通信機能を実現する要素と同様に構成し得るため、より詳細な説明は省略する。
【００２２】
バッテリ３０は、上述の、スピーカ１１と、マイク１２と、ディスプレイ１３と、物理キー部１４と、通信部２０と、検出部４０と、メモリ５０と、コントローラ６０とを含む、各部を動作させるために電力を供給する。バッテリ３０は、充放電可能な二次電池であることが好ましいが、一次電池であってもよい。
【００２３】
本実施形態では、コントローラ６０は、利用者による物理キー部１４の操作を検出することにより、通知の種類と、音声出力の対象となるデータとを設定する。例えば、コントローラ６０は、ディスプレイ１３に図３に示すような設定画面を表示させる。設定画面には、所定の時刻にデータに基づく情報を示す音声を出力させるか否か（通知対象に設定するか否か）を選択させるＯＮ及びＯＦＦが表示されている（図３の「定刻通知」参照）。データに基づく情報は、検出部４０が検出したデータとすることができる。また、データに基づく情報は、コントローラ６０が該データに演算を行って得た情報でもよい。例えば、データに基づく情報は、データに対応付けられてメモリ５０に記憶されている情報でもよい。
【００２４】
例えば、コントローラ６０は、利用者による方向キー１４ｂの押下によって、設定画面の定刻通知に対応するＯＮ又はＯＦＦにカーソルを表示させる。このとき、利用者が、例えば、センターキー１４ａを押下することによって、設定画面の定刻通知に対応するＯＮからＯＦＦに切り換えられたり、また逆にＯＦＦからＯＮに切り替えられたりする。図３に示す例では、ＯＮにカーソルが表示され、定刻通知はＯＮに設定されている。この場合、後述する音声通知機能が実行されると、コントローラ６０は定刻通知に係る処理を実行する。また、定刻通知がＯＦＦに設定されている場合、音声通知機能が実行されても、コントローラ６０は定刻通知に係る処理を実行しない。あるいは、定刻通知がＯＦＦに設定されている場合、コントローラ６０は、音声通知機能が実行されないようにしてもよい。
【００２５】
また、携帯電話１が通信部２０の送受信する電波の届く範囲にある圏内であるか、届かない範囲にある圏外であるかを音声で出力させるか否かを選択させるＯＮ及びＯＦＦが表示される（図３の「圏内圏外通知」参照）。例えば、コントローラ６０は、利用者による方向キー１４ｂの押下によって、設定画面の圏内圏外通知に対応するＯＮ又はＯＦＦにカーソルを表示させる。このとき、利用者が、例えば、センターキー１４ａを押下することによって、設定画面の圏内圏外通知に対応するＯＮからＯＦＦに切り換えられたり、また逆にＯＦＦからＯＮに切り替えられたりする。図３に示す例では、ＯＮにカーソルが表示され、圏内圏外通知はＯＮに設定されている。この場合、後述する音声通知機能が実行されると、コントローラ６０は圏内圏外通知に係る処理を実行する。また、定刻通知がＯＦＦに設定されている場合、音声通知機能が実行されても、コントローラ６０は圏内圏外通知に係る処理を実行しない。
【００２６】
また、設定画面には、検出部４０によって検出されたデータに変化があった場合に、データに基づく情報を示す音声を出力させるか否かを選択させるＯＮ及びＯＦＦが表示される（図３の「イベント通知」参照）。例えば、コントローラ６０は、利用者による方向キー１４ｂの押下によって、設定画面の圏内圏外通知に対応するＯＮ又はＯＦＦにカーソルを表示させる。このとき、利用者が、例えば、センターキー１４ａを押下することによって、設定画面の圏内圏外通知に対応するＯＮからＯＦＦに切り換えられたり、また逆にＯＦＦからＯＮに切り替えられたりする。図３に示す例では、ＯＮにカーソルが表示され、イベント通知はＯＮに設定されている。この場合、後述する音声通知機能が実行されると、コントローラ６０はイベント通知に係る処理を実行する。また、定刻通知がＯＦＦに設定されている場合、音声通知機能が実行されても、コントローラ６０はイベント通知に係る処理を実行しない。
【００２７】
また、設定画面には、データに基づく情報である温度、高度、気圧、歩数、移動距離、及びバッテリ残量に関する情報をそれぞれ音声で出力させるか否かを選択させるチェックボックスが表示される。例えば、コントローラ６０は、利用者による方向キー１４ｂの押下によって、温度、高度、気圧、歩数、移動距離、及びバッテリ残量にそれぞれ対応するチェックボックスにカーソルを表示させる。このとき、利用者が、例えば、センターキー１４ａを押下することによって、チェックボックスにチェックが付されたり、外されたりする。図３に示す例では、温度に対応するチェックボックスにチェックが付されている。この場合、後述する音声通知機能が実行されると、コントローラ６０は温度に係る処理を実行する。また、温度に対応するチェックボックスにチェックが付されていない場合、音声通知機能が実行されても、コントローラ６０は温度に係る処理を実行しない。高度、気圧、歩数、移動距離、及びバッテリ残量についても、温度と同様である。なお、後述する消費熱量は、選択項目の内の歩数または移動距離に含まれていてよい。
【００２８】
また、コントローラ６０は、利用者による物理キー部１４の押下に基づいて、スピーカ１１から出力させる音量を可変に制御する。図３に示す例では、コントローラ６０は、利用者による物理キー部１４の操作に基づいて入力された音量を示す数字をディスプレイ１３に表示させている。このとき、コントローラ６０は、利用者の操作に基づいて入力された音量をメモリ５０に記憶させる。図３の設定画面における音量設定は、該設定画面において設定される音声の出力（後述する音声通知機能の実行による音声の出力）に専用されてよい。この場合、携帯電話１は、後述する音声通知機能の実行とは異なる通常の音声出力のための音量が図３の設定画面とは異なる他の画面で設定できるようにしてもよい。
【００２９】
コントローラ６０は、利用者による物理キー部１４の押下に応じてスピーカ１１の音声出力に係るモードを設定する。具体的には、コントローラ６０は、利用者の操作に基づいて入力されたサイレントモード、音出力モード等のモードをメモリ５０に記憶させる。
【００３０】
携帯電話１がサイレントモードに設定された場合、コントローラ６０は、スピーカ１１から音を出力する動作を実行しない。このとき、コントローラ６０は、音が出力されるべきタイミングで、圧電素子等を用いて携帯電話１を振動させてもよい。また、このとき、コントローラ６０は、音が出力されるべきタイミングで、ディスプレイ１３に所定の表示をさせてもよい。
【００３１】
携帯電話１が音出力モードに設定された場合、コントローラ６０は、検出部４０が検出したデータに基づく情報を音声で出力させる。コントローラ６０は、情報を示すテキストを生成し、該テキストを示す音声合成処理を行うことによって出力させる音声を生成する。また、コントローラ６０は、予めメモリ５０に記憶された音声データであって、予めサンプリングされた音声データを抽出してもよい。
【００３２】
検出部４０は、気圧センサ４１、温度センサ４２、加速度センサ４３、バッテリ残量センサ４４、電波センサ４５等を含んで構成される。検出部４０は、検出対象に関するデータを検出する。ここで、検出対象とは、検出部４０が検出を行う対象である。この検出対象は、携帯電話１の全部または一部とすることもできるし、携帯電話１の周囲環境における種々の対象（携帯電話１の利用者も含む）とすることもできる。また、検出対象に関するデータとは、例えば、気圧、温度、利用者が移動した歩数、バッテリ３０のバッテリ残量、通信部２０が通信するために用いる電波の強度等を含む。検出部４０は、所定の時刻に、又は所定の時間間隔でデータを検出する。所定の時刻とは、例えば、利用者によって予め設定された時刻である。所定の時刻とは、例えば、各時の００分及び３０分とすることができる。所定の時間間隔は、任意の時間間隔とすることができるが、例えば、１５分間隔又は３０分間隔とすることができる。所定の時間間隔とは、例えば、利用者によって予め設定された時間間隔としてもよい。また、コントローラ６０は、検出部４０が複数回検出したデータに基づく情報を音声でスピーカ１１から出力させてもよい。
【００３３】
気圧センサ４１は、検出対象に関するデータとして、携帯電話１の周囲環境の気圧を検出して、コントローラ６０に出力する。
【００３４】
温度センサ４２は、検出対象に関するデータとして、携帯電話１の周囲環境の温度を検出して、コントローラ６０に出力する。
【００３５】
加速度センサ４３は、検出対象に関するデータとして、携帯電話１にかかる加速度を定期的に検出し、複数回にわたって検出された各時刻に関連付けられた加速度を表す加速度データをコントローラ６０に出力する。
【００３６】
バッテリ残量センサ４４は、検出対象に関するデータとして、バッテリ残量を検出するためのバッテリ３０の電圧を検出し検出された電圧をコントローラ６０に出力する。
【００３７】
電波センサ４５は、検出対象に関するデータとして、通信部２０が通信を行うために用いる電波の強度を検出する。
【００３８】
メモリ５０は、例えばＲＡＭ及びＲＯＭなど、任意の記憶デバイスを含んで構成される。メモリ５０は、各種情報や携帯電話１を動作させるためのプログラム等を記憶するとともに、ワークメモリとしても機能する。メモリ５０は、コントローラ６０に特定の機能を実行させるプログラムも記憶する。
【００３９】
また、メモリ５０は、検出部４０によって検出されたデータに基づく情報を、該情報に係るデータが検出された時刻又は順番に関連付けて記憶する。
【００４０】
コントローラ６０は、携帯電話１の各機能ブロックをはじめとして、携帯電話１の全体を制御及び管理する。コントローラ６０は、制御手順を規定したプログラムを実行するＣＰＵ等のプロセッサとすることができる。コントローラ６０が実行するプログラムは、例えばメモリ５０又は外部の記憶媒体等に格納される。
【００４１】
コントローラ６０は、利用者の操作による開始の指示が入力されると、音声通知機能の動作を開始する。コントローラ６０は、音声通知機能において、検出部４０が所定の時刻に検出対象に関するデータを検出すると、検出されたデータに基づく情報を音声でスピーカ１１から出力させる。このとき出力される音声は、例えば日本語または英語のような所定の言語を形成する音声とすることができる。また、上述のように、コントローラ６０がサイレントモードを設定している、すなわち、コントローラ６０がスピーカ１１から音を出力しない動作の実行中であっても、該コントローラ６０は、検出部４０が検出したデータに基づく情報をスピーカ１１から音声で出力させる。
【００４２】
次に、本実施形態に係る電子機器の動作について説明する。
【００４３】
コントローラ６０は、携帯電話１が第１の状態、すなわち、携帯電話１の所定方向のサイズが該携帯電話１がとり得る他の状態より小さいときに、音声通知機能を実行する。また、コントローラ６０は、設定した通知対象に関するデータについてのみ音声通知機能を実行する。
【００４４】
（定刻出力）
コントローラ６０は、所定の時刻に、検出部４０が検出したデータに基づく情報をスピーカ１１から音声で出力させる。具体的には、コントローラ６０は、所定の時刻に検出部４０にデータを検出させる。そして、コントローラ６０は、検出部４０が検出したデータを出力させる。また、コントローラ６０は、検出部４０が定期的に検出したデータの少なくとも一部を所定の時刻に出力させてもよい。
【００４５】
例えば、コントローラ６０は、気圧センサ４１が所定の時刻に気圧を検出すると、該気圧のデータに基づく情報を音声でスピーカ１１から出力させる。また、コントローラ６０は、温度センサ４２が所定の時刻に温度を計測すると、該温度のデータに基づく情報を音声でスピーカ１１から出力させる。また、コントローラ６０は、所定の時刻に、加速度センサ４３が音声通知機能の動作開始から継続して計数した歩数のデータに基づく情報を音声でスピーカ１１から出力させる。また、コントローラ６０は、バッテリ残量センサ４４が所定の時刻にバッテリ残量を検出すると、該バッテリ残量のデータに基づく情報を音声でスピーカ１１から出力させる。
【００４６】
また、コントローラ６０は、検出部４０によって検出されたデータから算出された情報を出力してもよい。この場合、コントローラ６０は、このようにして算出された情報を検出されたデータに基づく情報として音声でスピーカ１１から出力させる。
【００４７】
例えば、コントローラ６０は、加速度センサ４３から出力された加速度に基づいて、該加速度センサ４３を含む携帯電話１の利用者が移動した歩数、移動距離、消費熱量の１つ以上を算出する。具体的には、例えば、コントローラ６０は、加速度センサ４３によって計測された加速度の変化である振動の回数に基づいて歩数を算出する。また、コントローラ６０は、算出した歩数と、利用者の歩幅とに基づいて移動距離を算出する。利用者の歩幅は、歩行時における一般的な歩幅であってもよいし、利用者の操作により予めメモリ５０に記憶された歩幅であってもよい。さらに、コントローラ６０は、移動距離と、利用者の年齢及び体重に基づいて消費熱量を算出する。利用者の年齢及び体重は、予めメモリ５０に記憶することができる。そして、コントローラ６０は、算出した歩数、移動距離、消費熱量を検出されたデータに基づく情報として音声でスピーカ１１から出力させる。
【００４８】
また、携帯電話１が、加速度センサ４３に代えて、又は加速度センサ４３と共にＧＰＳ（Global Positioning System）受信機を有している場合、コントローラ６０は、ＧＰＳ受信機がＧＰＳ衛星から受信した位置の変化に基づいて利用者の移動距離を算出してもよい。この場合、コントローラ６０は、算出した移動距離と、利用者の歩幅とに基づいて歩数を算出することができる。
【００４９】
また、コントローラ６０は、バッテリ残量センサ４４から検出されたバッテリ３０の電圧からバッテリ３０のバッテリ残量を算出する。そして、コントローラ６０は、算出したバッテリ残量を、検出されたデータに基づく情報として音声でスピーカ１１から出力させる。
【００５０】
また、コントローラ６０は、気圧センサ４１によって検出された気圧から高度を算出する。この場合、コントローラ６０は、算出した高度をデータ基づく情報として音声でスピーカ１１から出力させる。
【００５１】
（イベント出力）
また、コントローラ６０は、検出部４０が検出したデータに基づく情報が所定の条件を満たすと、データに基づく情報を音声でスピーカ１１から出力させる。
【００５２】
具体的には、コントローラ６０は、データに基づく情報が所定の条件を満たす場合に、該情報を音声でスピーカ１１から出力させる。コントローラ６０は、データに基づく情報が所定の条件を満たさない場合には、該情報を出力させない。
【００５３】
より具体的には、例えば、コントローラ６０は、気圧センサ４１が気圧を検出すると、気圧が９００ｈｐａ未満であるか否かを判定する。コントローラ６０は、気圧が９００ｈｐａ未満である場合に、当該気圧、又は気圧が変化した旨を音声でスピーカ１１から出力させる。
【００５４】
また、例えば、コントローラ６０は、温度センサ４２が温度を検出すると、温度が３０度以上であるか否かを判定する。コントローラ６０は、温度が例えば３０度以上である場合に、当該温度、又は温度が変化した旨を音声でスピーカ１１から出力させる。
【００５５】
また、例えば、コントローラ６０は、加速度センサ４３が歩数を検出すると、歩数が３０００歩以上であるか否かを判定する。コントローラ６０は、歩数が例えば３０００歩以上である場合に、当該歩数、又は歩数が所定値に到達した旨を音声でスピーカ１１から出力させる。
【００５６】
また、例えば、コントローラ６０は、気圧センサ４１が気圧を検出すると、気圧に基づいて高度を算出し、該高度が例えば１０００ｍ以上であるか否かを判定する。コントローラ６０は、高度が１０００ｍ以上である場合に、当該高度、又は高度が所定値に到達した旨を音声でスピーカ１１から出力させる。
【００５７】
また、コントローラ６０は、加速度センサ４３が歩数を検出すると、歩数に基づいて移動距離を算出し、該移動距離が所定距離以上であるか否かを判定する。コントローラ６０は、移動距離が所定距離以上である場合に、当該移動距離、又は移動距離が所定値に到達した旨を音声でスピーカ１１から出力させる。コントローラ６０は、移動距離に基づいて消費熱量を算出し、消費熱量が所定量以上であるか否かを判定してもよい。この場合、コントローラ６０は、消費熱量が所定量以上である場合に、消費熱量、又は消費熱量が所定値に到達した旨を音声でスピーカ１１から出力させる。
【００５８】
（複数回の検出に基づく出力）
また、コントローラ６０は、検出部４０が所定の時間間隔で検出対象に関するデータを複数回検出するようにしてもよい。
【００５９】
具体的には、コントローラ６０は、所定の時間間隔でデータを検出すると、それぞれ検出したデータをメモリ５０に記憶させる。コントローラ６０は、検出部４０が複数回検出したデータのうちの任意の２つのデータの差を算出して出力させてもよい。例えば、コントローラ６０は、検出部４０が検出したデータと、該検出より前に検出されてメモリ５０に記憶されているデータとの差を算出する。また、コントローラ６０は、メモリ５０に記憶されている任意の２つのデータの差を算出してもよい。また、コントローラ６０は、複数回検出したデータの推移、変化率等を算出して出力してもよい。
【００６０】
より具体的には、コントローラ６０は、音声通知機能の動作開始から所定の時間が経過するごとに、気圧センサ４１によって検出された気圧をメモリ５０に記憶させる。コントローラ６０は、複数回検出された気圧に基づく情報を出力させる。例えば、コントローラ６０は、検出部４０が検出した気圧と、該検出より前に検出されて既にメモリ５０に記憶されている気圧との差である気圧差を算出して、スピーカ１１から出力させる。コントローラ６０は、メモリ５０に記憶されている、複数の気圧の推移をスピーカ１１から出力させてもよい。また、コントローラ６０は、メモリ５０に記憶されている、複数の気圧の変化率を算出してスピーカ１１から出力させてもよい。コントローラ６０は、これらの出力に限られず、検出部４０が検出した気圧と、メモリ５０に記憶されている気圧に基づく任意の情報を出力することができる。
【００６１】
また、コントローラ６０は、温度、歩数、電池残量、高度、移動距離、消費熱量についても同様に情報を出力することができる。
【００６２】
（メモリに記憶されている情報に基づく出力）
また、コントローラ６０は、検出部４０が検出したデータに基づく情報を出力させた後、検出部４０が新たに検出したデータに基づく情報を所定の状況下になるまで出力させないようにしてもよい。所定の状況とは、検出部４０が検出したデータに基づく情報についての状況であり、予め設定されるもとすることができる。
【００６３】
例えば、検出部４０が気圧センサ４１であり、所定の状況が、９００ｈＰａ以上の気圧が所定回数以上、連続して検出されるという状況である場合について説明する。気圧センサ４１が気圧８９５ｈｐａを検出すると、コントローラ６０は、該気圧を音声で出力させた後、所定回数以上、連続して９００ｈＰａ以上の気圧が検出されるまで、９００ｈＰａ未満の気圧が検出されても、検出したデータに基づく情報を音声でスピーカ１１から出力させない。すなわち、気圧センサ４１が気圧８９５ｈｐａを検出して該気圧を音声で出力させた後、所定回数以上、連続して９００ｈＰａ以上の気圧が検出されると、以降において、コントローラ６０は、９００ｈＰａ未満の気圧が検出されたときに、該気圧を音声で出力させる。
【００６４】
また、例えば、検出部４０が温度センサ４２であり、所定の状況が、３０度未満の温度が所定回数以上、連続して検出されるという状況である場合について説明する。コントローラ６０は、温度センサ４２が温度３１度を検出すると、該温度を音声で出力させた後、所定回数以上、連続して３０度未満の温度が検出されるまで、３０度以上の温度が検出されても、検出したデータに基づく情報を音声でスピーカ１１から出力させない。すなわち、温度センサ４２が３１度の温度を検出して該温度を音声で出力させた後、所定回数以上、連続して３０度未満の温度が検出されると、以降において、コントローラ６０は、３０度以上の温度が検出されたときに、該温度を音声で出力させる。
【００６５】
検出部４０が、加速度センサ４３又はバッテリ残量センサ４４である場合についても同様に動作させることができる。
【００６６】
（通知の出力）
また、コントローラ６０は、検出部４０が検出したデータに基づく情報とともに、または当該情報に代えて、当該情報に対応する、注意喚起を促すような内容を含む通知を音声でスピーカ１１から出力させてもよい。コントローラ６０は、検出部４０が検出したデータが通知条件を満たす場合に通知を出力させる。
【００６７】
具体的には、例えば、通知条件が「気圧が８５０ｈＰａ未満」である場合、コントローラ６０は、気圧センサ４１によって検出された気圧が８５０ｈＰａ未満であるときに、「気圧が低いです。ご注意ください。」といった通知情報を当該気圧とともに音声で出力する。
【００６８】
また、例えば、通知条件が「温度が３０度以上」である場合、コントローラ６０は、気圧センサ４１によって検出された温度が３０度以上であるときに、「温度が高いです。熱中症に注意ください。」といった通知情報を当該温度とともに音声で出力する。
【００６９】
（圏内圏外通知）
コントローラ６０は、音声通知機能の動作開始から継続して、携帯電話１が、通信部２０が通信するために送受信する電波の届く圏内にあるか圏外にあるかを判定する。具体的には、コントローラ６０は、電波センサ４５によって計測された電波強度が強度閾値以上であるか否かを判定し、電波強度が強度閾値以上である場合には圏内であるとし、電波強度が強度閾値未満である場合には圏外であるとする。コントローラ６０は、携帯電話１が圏内にあると判定すると、その旨を音声でスピーカ１１から出力させる。コントローラ６０は、携帯電話１が圏外にあると判定すると、その旨を音声でスピーカ１１から出力させる。
【００７０】
また、コントローラ６０は、所定の時間間隔で、携帯電話１が圏内にあるか圏外にあるかを判定し、圏内であると判定された後に圏外であると判定されたときに、その旨を音声でスピーカ１１から出力させる。また、コントローラ６０は、圏外であると判定された後に圏内であると判定されたときに、その旨を音声でスピーカ１１から出力させる。
【００７１】
また、例えば、携帯電話１が圏内にある状態から圏外にある状態への遷移と、携帯電話１が圏外にある状態から圏内にある状態への遷移とが、短い期間の間に、交互に繰り返される状況が想定される。
【００７２】
この場合、コントローラ６０は、携帯電話１が圏内にあると判定した後、所定の時間間隔での判定において、携帯電話１が圏外にあると複数回、連続して判定した場合には、該圏外にある旨（または圏内から圏外へ遷移した旨）の音声をスピーカ１１から出力させるようにしてもよい。コントローラ６０は、携帯電話１が圏外にあると判定した後、所定の時間間隔での判定において、携帯電話１が圏内にあると複数回、連続して判定した場合には、該圏内にある旨の音声をスピーカ１１から出力させるようにしてもよい。
【００７３】
また、コントローラ６０は、携帯電話１が圏内にあると判定した後、所定が時間経過する迄は、携帯電話１が圏外にあると判定しても、音声通知（圏外にある旨の音声出力）を行わないようにしてもよい。コントローラ６０は、携帯電話１が圏外にあると判定した後、所定が時間経過する迄は、携帯電話１が圏内にあると判定しても、音声通知（圏内にある旨の音声出力）を行わないようにしてもよい。
【００７４】
また、コントローラ６０は、携帯電話１が圏内にあると判定した後、所定が時間経過する迄は、携帯電話１が圏外にあると見なすための強度閾値以上を一時的に小さくしてもよい。コントローラ６０は、携帯電話１が圏外にあると判定した後、所定が時間経過する迄は、携帯電話１が圏外にあると見なすための強度閾値以上を一時的に大きくしてもよい。
【００７５】
以上は、圏内圏外通知の場合を例示しているが、これに限定されない。スピーカ１１から出力させるための条件（閾値）が設定可能なものであればあらゆる情報が適用されてよい。スピーカ１１から出力させるための条件（閾値）が設定可能な情報は、例えば、温度、気圧、高度である。
【００７６】
以上説明したように、本実施形態に係る携帯電話１においては、コントローラ６０が、検出部４０によって検出されたデータに基づく情報をスピーカ１１から音声で出力させる。このため、図４に示すように、利用者は、携帯電話１の画面を参照したり、操作したりすることなく、温度、気圧、高度、移動距離等の各種データを認識することができる。したがって、利用者は、携帯電話１を参照及び操作するために自身の行動を中断することなく、所望のデータを認識することができる。
【００７７】
また、本実施形態に係る携帯電話１においては、コントローラ６０は、所定の時刻に、検出部４０が検出したデータを出力してもよい。この場合、利用者は、自ら時間の経過を確認し、携帯電話１の操作を行うことなく、定期的に温度、気圧、高度、移動距離等のデータを認識することができる。
【００７８】
また、本実施形態に係る携帯電話１においては、コントローラ６０は、検出部４０が複数回検出したデータに基づく情報を出力させてもよい。この場合、利用者は、温度、気圧、高度、移動距離等のデータの履歴に応じて、データを認識することができる。そのため、利用者は、データの変化、推移等を適切に把握することができる。
【００７９】
また、本実施形態に係る携帯電話１においては、コントローラ６０は、データに基づく情報を出力させた後、所定の状況下になるまで、検出部４０が検出したデータに基づく情報を出力させなくてもよい。この場合、利用者は、検出対象の変化を適切に認識することができる。例えば、検出されたデータが所定の条件を満たしたり満たさなかったりする僅かな変動を繰り返す場合に、利用者が、頻繁に出力される音声によって、煩わしさを感じたり、自身の行動への集中を妨げられることが低減される。
【００８０】
また、本実施形態に係る携帯電話１においては、コントローラ６０は、検出部４０が検出したデータに基づく情報とともに、または当該情報に代えて、当該情報に対応する通知を出力させてもよい。この場合、利用者は、データそのものだけでなく、データに応じた通知により、注意喚起されたり、自身がとるべき行動の指針の決定に役立てたりすることができる。
【００８１】
また、本実施形態に係る携帯電話１においては、コントローラ６０は、温度、気圧、高度、歩数、高度、移動距離、及び消費熱量を出力させてもよい。この場合、利用者は、自身の体調に影響を及ぼす各種のデータを認識することができ、これに基づき、適切な体調管理を行うことができる。
【００８２】
また、本実施形態に係る携帯電話１においては、コントローラ６０は、スピーカ１１から音を出力させない動作の実行中であっても、データに基づく情報を出力させてもよい。この場合、利用者は、携帯電話１による電話の着信、メールの着信等に関する音の出力を望まないときであっても、検出部４０によって検出されたデータについては音声で認識することができる。すなわち、利用者は、自身の体調などに影響を及ぼす可能性のある重要なデータについて適切に把握することができる。
【００８３】
上述の実施形態は代表的な例として説明したが、本開示の趣旨及び範囲内で、多くの変更及び置換ができることは当業者に明らかである。したがって、本開示は、上述の実施形態によって制限するものと解するべきではなく、特許請求の範囲から逸脱することなく、種々の変形や変更が可能である。例えば、実施形態に記載の複数の構成ブロックを１つに組合せたり、あるいは１つの構成ブロックを分割したりすることが可能である。
【符号の説明】
【００８４】
１      携帯電話
２      上側筐体
３      下側筐体
４      可動部
１１    スピーカ
１２    マイク
１３    ディスプレイ
１４    物理キー部
１４ａ  センターキー
１４ｂ  方向キー
１４ｃ  メニューキー
１４ｄ  メールキー
１４ｅ  カメラキー
１４ｆ  ウェブキー
１４ｇ  通話開始キー
１４ｈ  クリアキー
１４ｉ  通話終了／電源キー
１４ｊ  テンキー
１４ｋ  第１機能キー
１４ｌ  第２機能キー
１４ｍ  第３機能キー
１４ｎ  モード設定キー
２０    通信部
３０    バッテリ
４０    検出部
４１    気圧センサ
４２    温度センサ
４３    加速度センサ
４４    バッテリ残量センサ
４５    電波センサ
５０    メモリ
６０    コントローラ
【図１】
2018113515.tif 000003
【図２】
2018113515.tif 000004
【図３】
2018113515.tif 000005
【図４】
2018113515.tif 000006